(57)【要約】【課題】従来の上下昇降棚１は、上下昇降機能のみであり、その下限位置で使用することはできても途中で固定することができなかったが、本発明では、昇降の途中の位置で、棚板７を固定して安定させ、比較的上方において使用できる上下昇降棚１を実現する。【解決手段】上下昇降棚１は、棚板７と、棚板７を昇降動作自在に支持する棚板支持手段８と、棚板７を上昇する方向へ付勢する上昇付勢手段９と、棚板７を上限位置と下限位置で固定する上下限位置固定手段とを備えており、さらに、棚板７を上限立置と下限位置の中間で固定できる中段ストッパー手段３３を備え、中段ストッパー手段３３は、ストッパーと、ストッパーを固定するストッパー固定具３６と、ストッパーを支持するストッパーストッパー支持パイプ３５とからなる。【選択図】図１
2008178438.tif 000002
【特許請求の範囲】
【請求項１】
棚板と、棚板を昇降動作自在に支持する棚板支持手段と、棚板を上昇する方向へ付勢する上昇付勢手段と、棚板を上限位置と下限位置で固定する上下限位置固定手段とを備えた上下昇降棚であって、
棚板を上限位置と下限位置の中間で固定できる中段ストッパー手段を備え、中段ストッパー手段は、ストッパーと、ストッパーを固定するストッパー固定具と、ストッパーを支持するストッパー支持パイプとからなることを特徴とする上下昇降棚。
【請求項２】
請求項１記載の上下昇降棚であって、棚板支持手段は、棚板を昇降動作自在に支持するためのスライドレールと、スライドレールの可動レールに接続され、可動レールと共に所定ストローク昇降動作する可動フレームとからなり、ストッパー支持パイプは可動フレームに固定されて、可動フレームと共に昇降動作することを特徴とする上下昇降棚。
【請求項３】
請求項１または２記載の上下昇降棚であって、ストッパーはストッパー支持パイプに回動自在に固定され、ストッパーを回動させることで、ストッパーがストッパー固定具に嵌め込まれて固定されることを特徴とする上下昇降棚。
【発明の詳細な説明】
【技術分野】
【０００１】
本発明は、キッチンの吊戸棚等と組み合わせて利用される上下昇降棚に関し、特に、上下方向の途中で棚板を固定できる上下昇降棚に関する。
【背景技術】
【０００２】
従来、キッチンの吊戸棚等と組み合わせて利用される上下昇降棚は知られている。例えば、吊戸棚本体の外部下面に、鉛直方向に摺動自在の棚部を備え、この棚部の前端を吊戸棚の前端と略面一、横幅を略同一とし、投光部、凹部を設けたものが公知である（特許文献１参照）。
【０００３】
また、本出願人等は、昇降式載置棚において、棚板のサイズ等に応じて付け替えられる荷重調整ウェイトを設けたものをすでに出願している（特願２００５−２０３５０１）。
【特許文献１】特開２００５−１４４０６４号公報
【発明の開示】
【発明が解決しようとする課題】
【０００４】
従来の上下昇降棚は、上下昇降機能のみであり、その下限位置で使用することはできても途中で固定することができず、安定しないので、棚板を比較的上方に固定して使用することはできないという問題点があった。本発明は、この従来の問題を解決することを目的とするものであり、昇降の途中の位置で、棚板を固定して、比較的上方において使用できる上下昇降棚を実現することを課題とする。
【課題を解決するための手段】
【０００５】
本発明は上記課題を解決するために、棚板と、棚板を昇降動作自在に支持する棚板支持手段と、棚板を上昇する方向へ付勢する上昇付勢手段と、棚板を上限位置と下限位置で固定する上下限位置固定手段とを備えた上下昇降棚であって、棚板を上限位置と下限位置の中間で固定できる中段ストッパー手段を備え、中段ストッパー手段は、ストッパーと、ストッパーを固定するストッパー固定具と、ストッパーを支持するストッパー支持パイプとからなることを特徴とする上下昇降棚を提供する。
【０００６】
上記上下昇降棚において、棚板支持手段は、棚板を昇降動作自在に支持するためのスライドレールと、スライドレールの可動レールに接続され、可動レールと共に所定ストローク昇降動作する可動フレームとからなり、ストッパー支持パイプは可動フレームに固定されて、可動フレームと共に昇降動作する構成としてもよい。
【０００７】
上記上下昇降棚において、ストッパーはストッパー支持パイプに回動自在に固定され、ストッパーを回動させることで、ストッパーがストッパー固定具に嵌め込まれて固定される構成としてもよい。
【発明の効果】
【０００８】
本発明に係るキャビネットによれば、上下昇降棚の棚板を、昇降の途中の中間位置でストッパーによってきわめて簡単に固定して安定させることができるので、比較的上方において棚板を使用することができる。
【発明を実施するための最良の形態】
【０００９】
以下、本発明に係る上下昇降棚を実施するための最良の形態を実施例に基づいて図面を参照して説明する。
【実施例】
【００１０】
図１〜４、７は、本発明の上下昇降棚の実施例を説明する図であり、図５、６はこの実施例の作用を模式的に説明する図である。この実施例は、本発明の上下昇降棚１を、キッチンの吊戸棚２と組み合わせて成るものである。吊戸棚２は、左右の側板３、左右の側板３間に固定された底板４、頂板５、背板６及び前扉を備えている。なお、前扉は、上下昇降棚１の構成を説明する都合上、ここでは図示を省略する。
【００１１】
上下昇降棚１は、棚板７を昇降動作自在に支持する棚板支持手段８と、棚板７を上昇する方向へ付勢する上昇付勢手段９と、棚板７を上限位置と下限位置でそれぞれ固定する上下限位置固定手段とを備えている。
【００１２】
棚板支持手段８は、棚板７を吊戸棚２の下方において上下方向に昇降可能するように支持する手段である。棚板支持手段８は、上下方向に延びるように設けられたスライドレール１０と、スライドレール１０によって上下方向に摺動可能な可動フレーム１１と、可動フレーム１１に上端が固定され下方へ垂直に延びる左右一対のガイドロッド１２を備えている。
【００１３】
スライドレール１０は、固定レール１３と、固定レール１３に対して摺動可能な可動レール１４とから成る。固定レール１３は、背板６（背板６のない吊戸棚２の場合は壁面１５）に取り付けられたレール取付板１６に固定されている。スライドレール１０の代わりに、直線摺動ベアリング（図示せず）を利用し、その可動部に可動フレーム１１を取り付ける構成としてもよい。
【００１４】
可動レール１４の下端部の前面には、可動フレーム１１が取り付けられている。可動フレーム１１は、垂直面１７、上端面１８及び下端面１９から成り、断面が略コの字型に形成されている。
【００１５】
背板６には、断面Ｌ形の固定フレーム２０が水平に固定されている。この固定フレーム２０に、左右一対のロッドホルダ２１が取り付けられている。左右一対のガイドロッド１２は、左右一対のロッドホルダ２１を貫通し、この左右一対のロッドホルダ２１により摺動可能に案内される。
【００１６】
ガイドロッド１２は、ロッドホルダ２１を貫通し、さらに背板６と底板４との隙間２２から（又は背板６に形成された貫通孔を形成し、この貫通孔を通して）下方に延び、その下端に、棚板７が固定されている。従って、可動フレーム１１、ガイドロッド１２及び棚板７は、一体となってスライドレール１０によって、上下方向に昇降可能である。
【００１７】
なお、棚板７の後縁中央部には、図１、図４（ａ）、（ｂ）、図７（ａ）に示すように、内側（前方）に向けた凹所７’が形成されている。この凹所７’は、その中に後記するストッパ固定具３６の係止部４３が入り込み、棚板７が図２、図４（ａ）、（ｂ）及び図７（ａ）に示すような上限位置に置かれた収納状態にあっても、係止部４３が棚板７に当たったりすることがなく邪魔にならない。また、棚板７の下面には、使用者が棚板７を上下方向に操作するための把持ハンドル２３が設けられている。
【００１８】
上昇付勢手段９は、棚板７を上昇する方向へ付勢する手段であり、この手段として、定荷重渦巻きバネ２４が設けられている。この定荷重渦巻きバネ２４は、バネ支持ブラケット２５を介して背板６に固定されている。定荷重渦巻きバネ２４の帯状バネ片２６が、バネ支持ブラケット２５に枢支されたバネ軸２７に、巻き取り及び繰り出し自在に巻き付けられている。帯状バネ片２６の下端に可動フレーム１１が固定されている。
【００１９】
可動フレーム１１には、定荷重渦巻きバネ２４の弾性力と釣り合うような重量のバランスウェエト２８が取り付けられている。このような構成により、使用者は棚板７を使用する場合は、図３に示すように、把持ハンドル２３によって棚板７を下方に軽く引き出すことができ、手を離すと棚板７はその位置に停止する。
【００２０】
そして、不使用時に使用者が棚板７を持ち上げて上昇させる際に、定荷重渦巻きバネ２４は、棚板７を上昇する方向に付勢する上昇付勢手段９として機能し、軽く持ち上げることが可能となる。
【００２１】
上下限位置固定手段は、上限位置固定手段と下限位置固定手段とから成る。下限位置固定手段は、棚板７を下降した際に、その下限位置を規制するとともに、棚板７が横揺れ等しないように位置決めする手段である。下限位置固定手段の具体的構成は、次のとおりである。
【００２２】
図２及び図３に示すように、固定フレーム２０の上端面２０’には、左右一対のゴムストッパー２９が設けられており、可動フレーム１１が下降した際に、可動フレーム１１の下端面１９と衝接して可動フレーム１１を停止させる。これにより、棚板７の下限位置を規制する。また、ロッドホルダ２１の上面に、ガイドロッド１２の前方に位置して、位置決めソケット３０が取り付けられており、可動フレーム１１が下降した際に、可動フレーム１１の下面に取り付けられた位置決めピン３１を受け入れて、棚板７を下限位置において位置決めする。
【００２３】
上限位置固定手段では、定荷重渦巻きバネ２４の帯状バネ片２６が、バネ支持ブラケット２５に枢支されたバネ軸２７に、巻き取られた位置が可動フレーム１１の上限位置となる。バネ支持ブラケット２５にはゴムストッパー３２が設けられており、上記上限位置で可動フレーム１１の上端面１８がゴムストッパー３２に衝接して可動フレーム１１を停止させる。これにより棚板７の上限位置が規制されることとなる。なお、固定レール１３の上端で可動レール１４の摺動が規制され、棚板７の上限位置も規制される。
【００２４】
以上の構成から成る上下昇降棚１において、本発明は、棚板７を上限位置と下限位置の中間で固定できる中段ストッパー手段３３を備えた構成を特徴とする。中段ストッパー手段３３は、ストッパー３４と、ストッパー３４を支持する左右一対のストッパー支持パイプ３５と、ストッパー３４を固定するストッパー固定具３６とを備えている。          
【００２５】
一対のストッパー支持パイプ３５は、一対のガイドロッド１２の幅方向内側であって、背板６と底板４の隙間２２において、上下垂直方向に向けて配置されている。そして、一対のストッパー支持パイプ３５の上端は可動フレーム１１の下端面１９に固定され、下端は棚板７に固定されている。一対のガイドロッド１２に、それぞれストッパー支持具３７が嵌合され、ネジ３８によりガイドロッド１２に沿って上下方向に取り付け位置が調整自在になるように、取り付けられている。
【００２６】
ストッパー３４は、左右一対の側部３９と、一対の側部を結ぶ橋絡部４０とを備えた全体的には略門形の強度を有する金属又はプラスチックから形成された杆材から成る。一対の側部３９の端部には、互いに向き合う一対の折曲部４１を有している。また、橋絡部４０の中央部には、前方に向けて水平に突出する突部４５が形成されている。
【００２７】
この一対の折曲部４１は、ストッパー支持具３７に側方から回転可能に取り付けられ、これにより、ストッパー３４がガイドロッド１２に対して回転可能な構成となっている。ストッパー３４が使用されることなくストッパー支持具３７から下方に吊り下がっている状態（図１、３参照）では、棚板７が昇降する際に、上昇背板６と底板４の隙間２２を、ストッパー支持パイプ３５とともに通過する構成となっている。
【００２８】
ストッパー固定具３６は、底板４の直下の位置において、壁面１５に固定された取付板４２と、この取付板４２に設けられた係止部４３とから構成されている。取付板４２は、図示はしないが、レール取付板１６と一体に構成してもよい。係止部４３は、弾性を有する金属材又樹脂材から形成され、ストッパー３４の橋絡部４０の突部４５を嵌め込み及び嵌め外し自在（係脱自在）にするための凹部４４を有する（図６（ｂ）、（ｃ）参照）。
【００２９】
（変形例）
図７（ｂ）は、本発明の実施例の変形例１を示す。この変形例１は、棚板７の上限位置を、固定具３６の係止部４３より下方とすることで、棚板７が上限位置に置かれた収納状態にあっても、係止部４３に棚板７に当たったりすることがないようにした構成である。  
【００３０】
（変形例２）
図７（ｃ）は、本発明の実施例の変形例２を示す。この変形例２は、ストッパー３４を左右の一対のストッパー支持パイプ３５の間に配置して、ストッパー折曲部４１を内側に向けて折り曲げて形成し、支持具３７により外側から支持される構成としたものである。支持具３７のネジ３８は、支持具３７の外側からねじ込まれる構成としている。
【００３１】
（作用）
前記のとおり、図５、６は、特に本発明の上下昇降棚１の作用を模式的に説明する図（作用の説明に必要な部分を中心に図示した図）であり、しかも、吊戸棚２の前扉を省略した（取り外した）状態の斜視図である。図１〜４、図７（ａ）及び図５、６を参照して、上下昇降棚１の作用を説明する。図２、図４（ａ）、（ｂ）及び図５（ａ）は、棚板７の上限位置に置かれた収納状態を示す。この状態では、棚板７が吊戸棚２の底板４の下面に近接した直下の位置にある。
【００３２】
棚板７を、図３及び図５（ｂ）に示すような下限の位置で使用する場合には、使用者は把持ハンドル２３を把持し、定荷重渦巻きバネ２４の弾性に抗して、固定フレーム２０の下端面１９がゴムストッパー２９に衝接するまで引き下ろし、位置決めピン３１を位置決めソケット３０内に嵌合させる。
【００３３】
この棚板７の下限の位置では、棚板７は、位置決めピン３１を位置決めソケット３０内に嵌合されて位置決めされ、また定荷重渦巻きバネ２４の弾性に対して、バランスウェイト２８の重量が作用して上方に戻ることはない。
【００３４】
棚板７を上限立置と下限位置の中間位置において使用する場合は、使用者は、図３及び図５（ｂ）の下限位置の状態から図６（ａ）に示す中間位置の状態に、棚板７を定荷重渦巻きバネ２４の弾性力を利用し持ち上げて上昇させる。
【００３５】
そして、この図６（ａ）、（ｂ）に示すように、棚板７を中間位置に上昇させた状態で、ストッパー３４をストッパー支持具３７を中心にして上方に回転させ、その橋絡部４０の突部４５を係止部４３の凹部４４に嵌合させる。これにより、ストッパー３４は、ストッパー固定具３６に固定させることができる。
【００３６】
この中間位置の状態では、棚板７に重いものを載置しても棚板７が下降することがなく、また定荷重渦巻きバネ２４の弾性によっても棚板７が上昇することなく、棚板７を安定した状態に保持して使用することができる。
【００３７】
棚板７の中間位置の高さを変更又は調整する場合は、ネジ３８を緩め、ストッパー支持具３７をガイドロッド１２に沿って移動し、上下方向に取り付け位置を調節してネジ３８で固定する。このようにして、ストッパー３４を、ストッパー支持具３７によってストッパー支持パイプ３５のより下方又は上方に固定すれば、棚板７の中間位置は、より上方又は下方に設定することができる。
【００３８】
以上、本発明に係る上下昇降棚を実施するための最良の形態を実施例に基づいて説明したが、本発明はこのような実施例に限定されるものではなく、特許請求の範囲に記載された技術的事項の範囲内でいろいろな実施例があることは言うまでもない。
【産業上の利用可能性】
【００３９】
以上の構成から成る本発明に係る上下昇降棚は、キッチンの吊戸棚だけでなく、洗面所の吊戸棚、その他各種の吊戸棚やキャビネットに適用可能である。
【図面の簡単な説明】
【００４０】
【図１】本発明に係る上下昇降棚の実施例の斜視図である。
【図２】本発明に係る上下昇降棚の実施例の棚板が上限位置における正面図である。
【図３】本発明に係る上下昇降棚の実施例の棚板が下限位置における正面図である。
【図４】（ａ）は本発明に係る上下昇降棚の実施例の側面図であり、（ｂ）はその要部拡大図である。
【図５】本発明に係る上下昇降棚の実施例の使用状態を説明する図である。
【図６】本発明に係る上下昇降棚の実施例の使用状態を説明する図である。
【図７】（ａ）は本発明に係る上下昇降棚の実施例の要部を説明する図であり、（ｂ）、（ｃ）は本発明の実施例の変形例１、２を説明する図である。
【符号の説明】
【００４１】
１  上下昇降棚                              
２  キッチンの吊戸棚                        
３  吊戸棚の左右側板                        
４  吊戸棚の底板                            
５  吊戸棚の頂板                            
６  吊戸棚の背板                            
７  棚板
７’  棚板の凹所                                    
８  棚板支持手段                            
９  上昇付勢手段                            
１０  スライドレール                        
１１  可動フレーム                          
１２  左右一対のガイドロッド                
１３  スライドレールの固定レール            
１４  スライドレールの可動レール            
１５  壁面                                  
１６  レール取付板                          
１７  可動フレームの垂直面                  
１８  可動フレームの上端面                  
１９  可動フレームの下端面                  
２０  固定フレーム 
２０’  固定フレームの上端面                         
２１  左右一対のロッドホルダ                
２２  背板と底板との隙間                    
２３  把持ハンドル                          
２４  定荷重渦巻きバネ                      
２５  バネ支持ブラケット                    
２６  帯状バネ片                            
２７  バネ軸                                
２８  バランスウェエト                      
２９  左右一対のゴムストッパー              
３０  位置決めソケット                      
３１  位置決めピン                          
３２  ゴムストッパー                        
３３  中段ストッパー手段                    
３４  ストッパー                            
３５  ストッパー支持パイプ                  
３６  ストッパー固定具                      
３７  ストッパー支持具                      
３８  ストッパー支持具のネジ                
３９  ストッパーの左右一対の側部            
４０  ストッパーの橋絡部                    
４１  ストッパーの折曲部                    
４２  ストッパー固定具の取付板              
４３  ストッパー固定具の係止部              
４４  ストッパー固定具の凹部
４５  ストッパーの橋絡部の突部
【図１】
2008178438.tif 000003
【図２】
2008178438.tif 000004
【図３】
2008178438.tif 000005
【図４】
2008178438.tif 000006
【図５】
2008178438.tif 000007
【図６】
2008178438.tif 000008
【図７】
2008178438.tif 000009